(57)【特許請求の範囲】
【請求項１】
外筒と、
前記外筒内で摺動し得るガスケットと、
前記外筒の基端開口より挿入され、前記ガスケットを移動操作する押し子と、
前記押し子に、その長手方向に沿ってスライド可能に設置されたストッパーと、
前記押し子上での前記ストッパーの位置を選択して固定する固定手段と、
前記ストッパーに設けられ、押圧操作、牽引操作または挟持操作する操作部とを備え、
前記操作部での操作により、前記固定手段の固定を解除して、前記押し子上での前記ストッパーの位置を調整可能であり、前記操作部に対する操作を解除すると、前記固定手段が弾性により固定状態に戻って、その位置で前記ストッパーが固定され、前記押し子を先端方向に向かって押圧操作した際に、該押し子とともに前記ストッパーが移動して、該ストッパーが前記外筒の一部に当接することにより、前記外筒内への前記押し子の挿入深さが規制されるシリンジであって、
前記固定手段は、前記押し子に設けられ、前記押し子の長手方向に沿って所定間隔で形成された複数の係合凹部または係合凸部を有するラックと、前記ストッパーに設けられ、前記ラックに係合した状態と前記ラックから退避した状態とに変位可能な係合部と、前記操作部に連動し、前記係合部を前記ラックに係合する方向に押圧する第１の位置とこの押圧を解除する第２の位置とに変位する押圧部と、前記押圧部が前記第１の位置に来るように前記操作部を付勢する付勢手段とを備え、常時は、前記押圧部が前記第１の位置にあり、前記係合部が前記ラックに係合して前記ストッパーを移動しないように固定した状態になっており、前記操作部を前記押し子の長手方向に対し垂直な方向に前記付勢手段の付勢力に抗して押圧操作すると、前記押圧部が前記第２の位置に移動することにより前記係合部が前記ラックから退避してこの固定が解除され、前記操作部に対する押圧操作を解除すると、前記付勢手段の付勢力により前記操作部が該操作部に対する押圧方向とは反対方向に移動して、前記ストッパーを移動しないように固定した状態に戻るよう作動するよう構成されていることを特徴とするシリンジ。
【請求項２】
前記押し子は、板片を十文字状に交差させた形状の本体部を有し、前記板片の一部に前記ラックが形成されている請求項１に記載のシリンジ。
【請求項３】
前記ラックは、一対設けられている請求項１または２に記載のシリンジ。
【請求項４】
前記押し子は、レール部を有し、
前記ストッパーは、前記レール部に沿って摺動する摺動部を有し、該摺動部が前記レール部上を案内することにより、前記押し子の長手方向に沿ってスライドする請求項１ないし３のいずれかに記載のシリンジ。
【請求項５】
前記押し子に、排出される液量に対応する前記ストッパーの位置を示す目盛りが付されている請求項１ないし４のいずれかに記載のシリンジ。
【請求項６】
前記押し子は、前記ストッパーを前記目盛りの０の位置に位置決めする位置決め手段を有する請求項５に記載のシリンジ。
【請求項７】
前記外筒と前記ガスケットとで囲まれる空間に予め薬剤が収納されている請求項１ないし６のいずれかに記載のシリンジ。
【請求項８】
前記ストッパーの最大幅が前記押し子の最大幅より小さい請求項１ないし７のいずれかに記載のシリンジ。
【請求項９】
前記操作部は、指で押圧操作されるものである請求項１ないし８のいずれかに記載のシリンジ。
【請求項１０】
前記操作部は、指で挟持操作されるものである請求項１ないし９のいずれかに記載のシリンジ。
【発明の詳細な説明】
【０００１】
【発明の属する技術分野】
本発明は、シリンジに関する。
【０００２】
【従来の技術】
シリンジは、外筒と、この外筒内に挿入されたガスケットと、このガスケットに連結された押し子（プランジャロッド）とを備えており、押し子を押圧操作してガスケットを外筒内で先端方向に摺動させ、薬剤等の液体の排出を行う。
【０００３】
このとき、正確な量の液体を排出するには、外筒の外周面に付された目盛りを見ながらガスケットの移動量を調節する必要があり、慎重に押し子を操作しなければならない。
【０００４】
しかしながら、従来のシリンジでは、押し子の操作ミス（押し過ぎ、押し足りない）や、目盛りの読み間違いなどによって、液体の排出量が過多になったり過少になったりすることが生じ易いという問題があった。
【０００５】
【発明が解決しようとする課題】
本発明の目的は、簡単な操作で、正確な量の液体を排出することができるシリンジを提供することにある。
【０００６】
【課題を解決するための手段】
このような目的は、下記（１）〜（１０）の本発明により達成される。
【０００７】
（１）  外筒と、
前記外筒内で摺動し得るガスケットと、
前記外筒の基端開口より挿入され、前記ガスケットを移動操作する押し子と、
前記押し子に、その長手方向に沿ってスライド可能に設置されたストッパーと、
前記押し子上での前記ストッパーの位置を選択して固定する固定手段と、
前記ストッパーに設けられ、押圧操作、牽引操作または挟持操作する操作部とを備え、
前記操作部での操作により、前記固定手段の固定を解除して、前記押し子上での前記ストッパーの位置を調整可能であり、前記操作部に対する操作を解除すると、前記固定手段が弾性により固定状態に戻って、その位置で前記ストッパーが固定され、前記押し子を先端方向に向かって押圧操作した際に、該押し子とともに前記ストッパーが移動して、該ストッパーが前記外筒の一部に当接することにより、前記外筒内への前記押し子の挿入深さが規制されるシリンジであって、
前記固定手段は、前記押し子に設けられ、前記押し子の長手方向に沿って所定間隔で形成された複数の係合凹部または係合凸部を有するラックと、前記ストッパーに設けられ、前記ラックに係合した状態と前記ラックから退避した状態とに変位可能な係合部と、前記操作部に連動し、前記係合部を前記ラックに係合する方向に押圧する第１の位置とこの押圧を解除する第２の位置とに変位する押圧部と、前記押圧部が前記第１の位置に来るように前記操作部を付勢する付勢手段とを備え、常時は、前記押圧部が前記第１の位置にあり、前記係合部が前記ラックに係合して前記ストッパーを移動しないように固定した状態になっており、前記操作部を前記押し子の長手方向に対し垂直な方向に前記付勢手段の付勢力に抗して押圧操作すると、前記押圧部が前記第２の位置に移動することにより前記係合部が前記ラックから退避してこの固定が解除され、前記操作部に対する押圧操作を解除すると、前記付勢手段の付勢力により前記操作部が該操作部に対する押圧方向とは反対方向に移動して、前記ストッパーを移動しないように固定した状態に戻るよう作動するよう構成されていることを特徴とするシリンジ。
【０００８】
（２）  前記押し子は、板片を十文字状に交差させた形状の本体部を有し、前記板片の一部に前記ラックが形成されている上記（１）に記載のシリンジ。
【０００９】
（３）  前記ラックは、一対設けられている上記（１）または（２）に記載のシリンジ。
【００１０】
（４）  前記押し子は、レール部を有し、
前記ストッパーは、前記レール部に沿って摺動する摺動部を有し、該摺動部が前記レール部上を案内することにより、前記押し子の長手方向に沿ってスライドする上記（１）ないし（３）のいずれかに記載のシリンジ。
【００１１】
（５）  前記押し子に、排出される液量に対応する前記ストッパーの位置を示す目盛りが付されている上記（１）ないし（４）のいずれかに記載のシリンジ。
【００１２】
（６）  前記押し子は、前記ストッパーを前記目盛りの０の位置に位置決めする位置決め手段を有する上記（５）に記載のシリンジ。
【００１３】
（７）  前記外筒と前記ガスケットとで囲まれる空間に予め薬剤が収納されている上記（１）ないし（６）のいずれかに記載のシリンジ。
【００１４】
（８）  前記ストッパーの最大幅が前記押し子の最大幅より小さい上記（１）ないし（７）のいずれかに記載のシリンジ。
【００１５】
（９）  前記操作部は、指で押圧操作されるものである上記（１）ないし（８）のいずれかに記載のシリンジ。
【００１６】
（１０）  前記操作部は、指で挟持操作されるものである上記（１）ないし（９）のいずれかに記載のシリンジ。
【００２１】
【発明の実施の形態】
以下、本発明のシリンジを添付図面に示す好適な実施形態に基づいて詳細に説明する。
【００２２】
＜第１実施形態＞
図１は、本発明のシリンジの第１実施形態を示す部分縦断面図、図２は、図１に示すシリンジにおけるストッパーの斜視図（分解状態）、図３は、図２中のＸ−Ｘ線断面図、図４は、図２中のＹ−Ｙ線断面図、図５および図６は、それぞれ、図１に示すシリンジにおける押し子の本体部およびストッパーを示す部分断面斜視図である。なお、説明の都合上、図１中の左側を「先端」、右側を「基端」と言い、図２〜図６中の上側を「上」、下側を「下」と言う。
【００２３】
図１に示す本実施形態のシリンジ１は、シリンジ内部に予め薬剤が収納されたプレフィルドシリンジであって、外筒（シリンジ外筒）２と、外筒２内で摺動し得るガスケット３と、ガスケット３を移動操作する押し子（プランジャロッド）４と、押し子４の長手方向に沿ってスライド可能に設置されたストッパー５とを備えている。ガスケット３は、押し子４の先端に連結されている。以下、各部の構成について説明する。
【００２４】
外筒２は、先端側に底部２１を有する有底筒状の部材で構成され、底部２１の中央部には、外筒２の胴部に対し縮径した縮径部２２が一体的に形成されている。この縮径部２２には、例えば、針管のハブ、コネクタ類等（図示せず）が嵌合、装着されて使用される。
【００２５】
縮径部２２の基端部外周には、雄ネジ（ルアーロックネジ）が形成されていても良い。
【００２６】
縮径部２２の先端には、封止部材として、弾性材料で構成された膜２４が装着され、縮径部２２の内腔２３を気密的に封止している。
【００２７】
また、縮径部２２の外側には、キャップ２９が嵌合され、固定されている。このキャップ２９の先端には、開口２９１が形成されており、この開口２９１の縁部と縮径部２２の先端面との間で膜２４の外周部を挟持することにより、膜２４が気密（液密）的に固定される。
【００２８】
なお、縮径部２２と膜２４とキャップ２９とは、それぞれ、互いに接着剤による接着または融着がなされていても良い。
【００２９】
膜２４は、両頭針のような針体により刺通可能なものである。この場合、膜２４は、針体により刺通可能なものであれば、その形態は膜状に限らず、例えばブロック状のもの（栓体）であってもよい。
【００３０】
膜２４の構成材料としては、例えば、後述するガスケット３の構成材料として挙げたものを用いることができる。
【００３１】
なお、縮径部２２の先端を封止する封止部材としては、図示の構成に限らず、例えばフィルム等（図示せず）であってもよい。
【００３２】
また、外筒２の基端外周には、板状のフランジ２５が一体的に形成されている。押し子４を外筒２に対し相対的に移動操作する際などには、このフランジ２５に指を掛けて操作を行うことができる。
【００３３】
外筒２の構成材料としては、特に限定されないが、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリルニトリル−ブタジエン−スチレン共重合体、ポリエチレンテレフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、水分の蒸散が少ないという点で、ポリプロピレン、環状ポリオレフィン、ポリエステル、ポリ−（４−メチルペンテン−１）のような樹脂が好ましい。
【００３４】
なお、外筒２の構成材料は、内部の視認性を確保するために、実質的に透明であるのが好ましい。
【００３５】
外筒２とガスケット３とで囲まれる空間内には、薬剤１００が液密に収納されている。薬剤１００の形態は、固体状（粉末状、顆粒状を含む）、液体状等、いかなるものでもよいが、本実施形態では、代表的に液体状の薬剤について説明する。
【００３６】
この薬剤１００としては、例えば、抗癌剤、麻酔薬、覚せい剤、麻薬、ブドウ糖等の糖質注射液、塩化ナトリウムや乳酸カリウム等の電解質補正用注射液、ビタミン剤、ワクチン、抗生物質注射液、造影剤、ステロイド剤、蛋白質分解酵素阻害剤、脂肪乳剤のような各種薬液、あるいは、蒸留水、消毒薬、流動食、アルコール等が挙げられる。
【００３７】
外筒２の外周面には、目盛り２７が形成されている。これにより、シリンジ１内の液量を把握することができる。図示の構成では、目盛り２７は、０〜５mLまで付されている。
【００３８】
外筒２内には、弾性材料で構成されたガスケット３が収納されている。
このガスケット３の外周部には、複数のリング状の凸部３１、３２および３３が全周にわたって形成されている。この凸部３１、３２および３３が外筒２の内周面２６に対し密着しつつ摺動することで、液密性をより確実に保持するとともに、摺動性の向上が図れる。
【００３９】
本実施形態では、シリンジ１の長手方向に沿って２つの凸部３１、３２および３３が形成されている。すなわち、ガスケット３の基端部と中間部と先端部のそれぞれに、凸部３１、３２および３３が形成されている。また、ガスケット３の先端面３６は、先端に向かって外径が漸減するようなテーパ面になっている。
【００４０】
なお、本発明では、凸部３１、３２および３３の形成位置や個数、断面形状等は、これに限定されるものではない。
【００４１】
また、ガスケット３には、その基端面に開放する中空部３４が形成されている。この中空部３４は、後述する押し子４のヘッド部４３が挿入（螺入）される。中空部３４の内面には、雌ネジ３４１が形成されている。
【００４２】
ガスケット３の構成材料としては、特に限定されないが、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
【００４３】
なお、ガスケット３は、その少なくとも外周部が前述のような弾性材料で構成されていれば良く、例えば、樹脂材料で構成された芯部（図示せず）を有し、この芯部の外周を覆うように弾性材料が配置された構成のものでもよい。この場合には、芯部に、雌ネジ３４１が形成されることとなる。
【００４４】
このようなガスケット３には、ガスケット３を外筒２内で長手方向に移動操作する押し子４が連結（装着）されている。
【００４５】
押し子４は、板片を十文字状に交差させた形状の本体部４０を有しており、該本体部４０の基端に、フランジ状の指当て部４０１が形成されている。この指当て部４０１を指等で押圧することにより押し子４を先端方向へ移動操作する。
【００４６】
本体部４０の先端側には、鍔状をなす第１のフランジ４１と、該第１のフランジ４１より基端側に位置する第２のフランジ４２とが、本体部４０と一体的に形成されている。第１のフランジ４１と第２のフランジ４２とは、所定間隔、例えば３〜５０mm程度の間隔をおいてほぼ平行に設置されている。
【００４７】
さらに、押し子４の第１のフランジ４１より先端側には、ガスケット３の中空部３４内に挿入され、ガスケット３と連結されるヘッド部（連結部）４３が形成されている。
【００４８】
ヘッド部４３の外周には、中空部３４の内面の雌ネジ３４１と螺合し得る雄ネジ４３１が形成されている。この雄ネジ４３１を雌ネジ３４１と螺合することにより、ガスケットと押し子４とが連結されている。このような連結状態では、第１のフランジ４１の先端面がガスケット３の基端面と接触または密着している。
【００４９】
なお、本発明において、ガスケット３と押し子４との連結構造は、螺合以外のもの、例えば、接着、融着等の固着、嵌合、遊嵌等であってもよい。
【００５０】
押し子４の構成材料としては、特に限定されず、例えば、外筒２の構成材料として挙げたものと同様のものを用いることができる。
【００５１】
さて、本発明のシリンジ１は、押し子４の長手方向に沿って移動可能に設置されたストッパー（挿入深さ規制部材）５と、押し子４上でのストッパー５の位置を選択（調整）して固定する固定手段とを有している。図１に示すように、ストッパー５は、第２のフランジ４２より基端側における本体４０に設置されている。
【００５２】
シリンジ１では、押し子４を押圧して先端方向へ移動させて薬剤１００の排出動作を行う際、このストッパー５が外筒２の基端部（基端面）２８に当接することにより、外筒２内への押し子４の挿入深さが規制され、これにより、正確な量の薬剤１００を排出することができる。以下、このストッパー５およびその固定手段の構成について詳述する。
【００５３】
図２に示すように、ストッパー５は、第１の部材６と、第２の部材７とで構成されている。第１の部材６および第２の部材７は、それぞれ、図２中においてほぼ左右対称な構成になっている。
【００５４】
第１の部材６は、図２中の下側が開放したほぼ箱状のケーシング６１を有している。図４に示すように、ケーシング６１の同図中の左右の下端部には、それぞれ、断面形状がほぼコ字状をなす摺動部６２ａ、６２ｂが突出形成されている。第１の部材６は、この摺動部６２ａ、６２ｂが押し子４に設けられたレール部４４１、４５１上を摺動することにより、押し子４の長手方向に沿ってスライド（移動）可能になっている。
【００５５】
本実施形態では、図１に示すように、押し子４の本体部４０を構成する十文字状に交差させた４つの板片のうち、互いに平行な２つの板片４４、４５の縁部がそれぞれレール部４４１、４５１を構成している。図５に示すように、レール部４４１、４５１は、それぞれ、摺動部６２ａ、６２ｂの内側に挿入されており、摺動部６２ａ、６２ｂの内面がレール部４４１、４５１に沿って摺動することにより、第１の部材６が押し子４の長手方向に沿って案内される。
【００５６】
図４に示すように、摺動部６２ａ、６２ｂの下面は、それぞれ、傾斜したテーパ面６２１ａ、６２１ｂになっている。これにより、シリンジ１の組み立て工程において第１の部材６を押し子４に装着する際、このテーパ面６２１ａ、６２１ｂにレール部４４１、４５１が摺動することにより摺動部６２ａ、６２ｂが押し広げられるように弾性変形し、容易に装着することができる。
【００５７】
図２および図４に示すように、ケーシング６１の先端壁６１４および基端壁６１５の中央部には、それぞれ、溝６１１、６１２が形成されている。この溝６１１、６１２には、本体部４０における板片４４、４５に直交する板片４６が挿入する。
【００５８】
図１および図５に示すように、板片４６には、押し子４の長手方向に沿って所定間隔で形成された複数の係合凹部４７１を有するラック４７ａ、４７ｂが形成されている。このラック４７ａ、４７ｂに、第１の部材６に設けられた係合部６３ａ、６３ｂが係合することにより、ストッパー５が押し子４に固定される。
【００５９】
本実施形態では、ラック４７ａ、４７ｂおよび係合部６３ａ、６３ｂは、それぞれ、一対設けられている。これにより、ストッパー５をより確実に押し子４に固定することができる。一対のラック４７ａ、４７ｂは、板片４６の両面にそれぞれ形成されている。
【００６０】
ラック４７ａ、４７ｂにおける係合凹部４７１の形成間隔（ピッチ）は、特に限定されず、シリンジ１の容量等に合わせて適宜設定されるが、例えば、シリンジ１からの排出液量が０．１mL刻み、０．２mL刻み、０．５mL刻み、１mL刻み、５mL刻み、１０mL刻み等に相当するような間隔で形成することができる。図示の構成では、係合凹部４７１の形成間隔は、排出液量が０．１mL刻みに相当する間隔になっている。
【００６１】
図示の構成では、係合凹部４７１は、ほぼＶ字状の溝で構成されている。これにより、ストッパー５をガタツキ等なく、正確に固定することができる。また、、複数の係合凹部４７１は、互いに隣接して形成されており、よって、ラック４７ａ、４７ｂは、鋸歯状をなしている。
【００６２】
なお、本発明では、係合凹部４７１の形状は、図示の構成に限らず、例えば、Ｕ字状、コ字状、半円状の溝（凹部）や、孔などであってもよい。また、係合凹部４７１は、図示のように互いに隣接して形成されているものに限らず、所定の間隔をおいて間欠的に形成されていてもよい。
【００６３】
図５に示すように、ケーシング６１の内部には、ラック４７ａ、４７ｂに係合し得る一対の係合部６３ａ、６３ｂが設けられている。
【００６４】
図４に示すように、この係合部６３ａ、６３ｂは、それぞれ、ケーシング６１の上壁６１３からケーシング６１の内部に向かって腕状に突出形成されている。
【００６５】
図５に示すように、両係合部６３ａ、６３ｂの間には、板片４６が位置している。係合部６３ａ、６３ｂの下端側には、係合凹部４７１の形状に対応するほぼクサビ状（Ｖ字状）をなす突起６３１ａ、６３１ｂがそれぞれ内側に向かって突出形成されており、この突起６３１ａ、６３１ｂがラック４７ａ、４７ｂの係合凹部４７１にそれぞれ挿入することにより、両者が係合する。
【００６６】
係合部６３ａ、６３ｂにおける突起６３１ａ、６３１ｂの反対側（外側）には、ほぼ半球状の凸部６３２ａ、６３２ｂが形成されている。
【００６７】
また、図２に示すように、上壁６１３には、係合部６３ａ、６３ｂの形成箇所の外側に孔６４ａ、６４ｂがそれぞれ形成されている。
【００６８】
また、図３に示すように、上壁６１３の中央部には、片持ちの板バネ（付勢手段）６５が一体的に形成されている。この板バネ６５は、湾曲形状をなしており、その中央部には、外側（上側）に突出するほぼ半球状の凸部６５１が形成されている。凸部６５１は、板バネ６５の自然状態では、上壁６１３から突出した状態になっており、板バネ６５が撓むことにより、ケーシング６１内に没入する。
【００６９】
図２に示すように、第２の部材７は、ほぼ板状をなす操作部７１と、操作部７１の下面から腕状に突出形成された一対の押圧部７２ａ、７２ｂと、操作部７１の上面に形成された凸条７３とを有している。
【００７０】
操作部７１は、指で押圧操作される部分であり、すなわち、押しボタンとして機能する。凸条７３は、操作部７１を指で押圧する際の滑り止め効果を発揮する。押圧部７２ａ、７２ｂは、それぞれ、係合部６３ａ、６３ｂを内側に押圧する機能を発揮する。
【００７１】
図５に示すように、第２の部材７は、押圧部７２ａ、７２ｂが孔６４ａ、６４ｂにそれぞれ挿入した状態で、第１の部材６に装着される。この装着状態では、第２の部材７は、押圧部７２ａ、７２ｂに形成された爪７２３ａ、７２３ｂが孔６４ａ、６４ｂの内面に形成された爪６４１ａ、６４１ｂに係合することにより、第１の部材６からの抜け止めがなされる（図２および図４参照）。
【００７２】
図２および図５に示すように、押圧部７２ａ、７２ｂの下端部には、内側に突出する凸部７２１ａ、７２１ｂがそれぞれ形成されている。また、凸部７２１ａ、７２１ｂの上側は、それぞれ、傾斜したテーパ面７２２ａ、７２２ｂになっている。
【００７３】
この第２の部材７は、常時は、図５に示すように、板バネ６５の付勢力により、操作部７１が上壁６１３から浮いた（離間した）状態になっている。そして、操作部７１を指で押圧すると、図６に示すように、第２の部材７は、板バネ６５の付勢力に抗して下方向に変位し、操作部７１の下面が上壁６１３に接触する。
【００７４】
このような操作部７１での操作に連動して、押圧部７２ａ、７２ｂは、図５に示す第１の位置と、この第１の位置から下方向に移動した図６に示す第２の位置とに変位する。
【００７５】
図５に示すように、押圧部７２ａ、７２ｂが前記第１の位置にあるとき、すなわち操作部７１を押圧操作していない状態では、凸部７２１ａ、７２１ｂは、凸部６３２ａ、６３２ｂと同じ位置（高さ）にあって、これらを内側に押圧している。これにより、係合部６３ａ、６３ｂは、それぞれ、内側に変位し、突起６３１ａ、６３１ｂがそれぞれラック４７ａ、４７ｂの係合凹部４７１に挿入する。このように、図５に示す状態では、係合部６３ａ、６３ｂとラック４７ａ、４７ｂとが係合することにより、ストッパー５は、押し子４に固定されている。
【００７６】
図６に示すように、押圧部７２ａ、７２ｂが前記第２の位置にあるとき、すなわち操作部７１を押圧操作した状態では、凸部７２１ａ、７２１ｂは、凸部６３２ａ、６３２ｂより下側に位置し、よって、凸部６３２ａ、６３２ｂに対する押圧が解除される。これにより、係合部６３ａ、６３ｂは、自己の弾性により、外側に変位して、突起６３１ａ、６３１ｂがラック４７ａ、４７ｂの係合凹部４７１から退避する。このように、図６に示す状態では、ストッパー５に対する固定が解除され、ストッパー５は、押し子４に対しスライド（移動）することができる。
【００７７】
図６に示す状態から操作部７１に対する押圧操作を解除すると、板バネ６５の付勢力により、第２の部材７が上方向に変位して、押圧部７２ａ、７２ｂが前記第１の位置に復帰し、図５に示す固定状態に戻る。このとき、凸部６３２ａ、６３２ｂは、テーパ面７２２ａ、７２２ｂ上を摺動しつつ凸部７２１ａ、７２１ｂに押圧されることにより、円滑に図５に示す状態に復帰することができる。特に、図示の構成では、凸部６３２ａ、６３２ｂが半球状をなしていることにより、テーパ面７２２ａ、７２２ｂとの摩擦が小さく、この復帰動作がより円滑、確実に行われる。
【００７８】
以上説明したように、シリンジ１では、操作部７１を指で押圧操作することにより、ストッパー５を押し子４上でスライドさせて、その位置を調整することができる。また、操作部７１から指を離して押圧を解除すると、ストッパー５は、その位置で押し子４に対し固定される。このようにして押し子４上でのストッパー５の位置を調整することにより、外筒２内へ挿入可能な押し子４の深さを変更することができ、よって、排出する薬剤１００の量を所望の量に設定することができる。
【００７９】
なお、本実施形態では、ラック４７ａ、４７ｂ、係合部６３ａ、６３ｂ、板バネ６５および押圧部７２ａ、７２ｂによって、押し子４上でのストッパー５の位置を選択して固定する固定手段が構成される。
【００８０】
図１に示すように、押し子４（板片４４）には、シリンジ１より排出される液量に対応する目盛り４８が付されている。後述するように、ストッパー５（第１の部材６）の先端面６６の位置をこの目盛り４８に合わせた状態で押し子４を押し込むことにより、所望の量の薬剤１００を排出することができる。
【００８１】
この目盛り４８は、外筒２の目盛り２７に対応しており、図示の構成では、排出液量が０〜５mLに対応する位置に付されている。
【００８２】
また、押し子４には、ストッパー５を目盛り４８の０（ゼロ）に位置決めする位置決め手段が設けられている。本実施形態では、この位置決め手段は、第２のフランジ４２で構成されている。すなわち、第２のフランジ４２の基端面４２１は、目盛り４８の０に相当する位置になっており、これにより、ストッパー５の先端面６６がフランジ４２の基端面４２１に当接するまでストッパー５を先端方向に移動させることにより、容易にストッパー５を目盛り４８の０に位置合わせ（ゼロ点合わせ）することができる。ゼロ点合わせを行うことにより、後述するように、薬剤１００の排出量をより正確な量にすることができる。
【００８３】
なお、この位置決め手段は、フランジ４２のような構成に限らず、ストッパー５がそれ以上先端方向へ移動しないようにするものであればいかなるものでもよく、例えば、板片４６の縁部に形成した段差などであってもよい。
【００８４】
ストッパー５の構成材料としては、特に限定されず、外筒２の構成材料として挙げたような各種合成樹脂材料の他、ステンレス鋼、アルミニウムまたはアルミニウム合金、チタンまたはチタン合金、銅または銅系合金のような各種金属材料などを用いることができる。
【００８５】
なお、ストッパー５の固定手段としては、図示の構成とは逆に、ラックに形成された係合凸部に、ストッパーに設けられた凹部で構成される係合部が係合するようなものであってもよい。この場合、ラックの係合凸部の形状は、Ｖ字状、Ｕ字状、コ字状、半円状等、いかなる形状でもよい。
【００８６】
また、第２の部材７（押圧部７２ａ、７２ｂ）を付勢する付勢手段としては、板バネ６５に限らず、いかなるものでもよく、例えば、コイルバネのような別部材で構成されていてもよい。
【００８７】
なお、本実施形態では、一対のラック４７ａ、４７ｂと係合部６３ａ、６３ｂとが設けられているが、本発明では、ラックと係合部が１つ、または３つ以上設けられているようなものでもよい。
【００８８】
次に、シリンジ１の使用方法の一例について説明する。以下に説明する方法は、シリンジ１に、有底筒状のホルダー本体と両端にそれぞれ鋭利な針先が形成された両頭針（針管）とを有する両頭針付ホルダー（図示せず）を接続し、ボトル（瓶）状またはバッグ状をなす輸液容器（図示せず）に薬剤１００を混注する場合の例である。
【００８９】
［１Ａ］  まず、ストッパー５を目盛り４８の０に位置合わせ（ゼロ点合わせ）する。すなわち、操作部７１を指で押圧しつつストッパー５を押し子４の先端側に最大限に移動させて、先端面６６を第２のフランジ４２の基端面４２１に当接させる。前述したように、操作部７１から指を離すと、ストッパー５は、押し子４上のその位置で固定される。
【００９０】
［２Ａ］  次いで、以下のようにして、外筒２内のエア抜きを行う。図１に示すように、シリンジ１には、規定量（図示の構成では５mL）よりやや多い量の薬剤１００が充填されている。このシリンジ１のキャップ２９に両頭針付ホルダーのホルダー本体を嵌合する（被せる）。これにより、両頭針の一方の針先が膜２４を刺通し、縮径部２２の内腔２３に侵入する。このようにして両頭針付ホルダーを装着した後、押し子４の指当て部４０１に指を当て、ストッパー５の先端面６６が外筒２の基端部２８に当接するまで、押し子４を外筒２に対し先端方向に移動させる。これにより、押し子４に連結されたガスケット３が外筒２内で先端方向に摺動し、規定量より余剰の薬剤１００と外筒２内のエアとが縮径部２２の内腔２３および両頭針内を通って排出される。
【００９１】
この操作により、外筒２内の薬剤１００が規定量になる。すなわち、この状態では、ガスケット３の外周部先端（凸部３３）は、外筒２の目盛り２７における規定量（図示の構成では５mL）の位置に位置する。
【００９２】
［３Ａ］  次いで、両頭針付ホルダーの両頭針の他方の針先を輸液容器の口部を封止する栓体に刺通する。この状態で、外筒２内と、輸液容器の内部空間とが、両頭針を介して連通する。
【００９３】
［４Ａ］  次いで、操作部７１を指で押圧しつつ、ストッパー５を押し子４上でスライドさせ、ストッパー５の先端面６６を目盛り４８上の希望とする排出量に対応する位置に合わせる。例えば、図示の構成では、１mLの薬剤１００を排出する場合には、先端面６６を目盛り４８上の「１」に合わせ、３mLの薬剤１００を排出する場合には、先端面６６を目盛り４８上の「３」に合わせる。
【００９４】
［５Ａ］  次いで、指当て部４０１に指を当てて押し子４を先端方向に押圧し、ストッパー５の先端面６６が外筒２の基端部２８に当接するまで、押し子４を外筒２に対し先端方向に移動させる。これにより、押し子４に連結されたガスケット３が外筒２内で先端方向に摺動し、設定した量の薬剤１００が外筒２内から縮径部２２の内腔２３および両頭針内を通って排出され、輸液容器内の輸液に配合される。
【００９５】
このように、本発明では、ストッパー５が外筒２に当接することにより押し子４の外筒２内への挿入深さが規制されることから、押し子４を押し過ぎたり、押し足りなかったりすることがなく、設定した量の薬剤１００を正確に排出することができる。よって、薬剤１００の排出量が過多・過少となるミスを確実に防止することができる。
【００９６】
また、シリンジ１では、指で操作部７１を押圧するだけのワンタッチの操作で、ストッパー５の固定を解除して、押し子４上での位置を調整することができる。これにより、薬剤１００の排出量の設定操作を極めて容易かつ迅速に行うことができる。
【００９７】
また、操作部７１に対する押圧操作を解除すると、自動的にストッパー５の固定状態に戻ることから、一旦設定したストッパー５の位置がずれて、設定した排出量が狂うようなこともない。
【００９８】
また、薬剤１００の排出操作においては、ストッパー５が外筒２に突き当たるまで押し子４を先端方向に移動させるだけの簡単な操作で前記効果を達成することができ、押し子４の操作に微妙な力加減を必要とせず、操作が容易である。
【００９９】
なお、前述した使用方法の他に、次のようにして、予め薬剤１００の過量分を捨てる使用方法を採ることもできる。
【０１００】
［１Ｂ］  図示の構成において、規定量５mLのうちの３mLのみを使用する場合を例に説明する。まず、ストッパー５の先端面６６を目盛り４８上の薬剤１００の過量分に相当する位置に合わせる。この場合、規定量５mLに対し、使用量３mLであり、２mLが過量であるので、先端面６６を目盛り４８の「２」に合わせる。
【０１０１】
［２Ｂ］  次いで、シリンジ１のキャップ２９に前記と同様にして両頭針付ホルダーを装着した後、押し子４の指当て部４０１に指を当て、ストッパー５の先端面６６が外筒２の基端部２８に当接するまで、押し子４を外筒２に対し先端方向に移動させる。これにより、押し子４に連結されたガスケット３が外筒２内で先端方向に摺動し、過量分の薬剤１００と外筒２内のエアとが縮径部２２の内腔２３および両頭針内を通って排出される。これにより、エア抜きが行われるとともに、外筒２内に３mLの薬剤１００が残存する。すなわち、この状態では、ガスケット３の外周部先端（凸部３３）は、外筒２の目盛り２７の「３」に位置する。
【０１０２】
［３Ｂ］  次いで、前記と同様に、両頭針付ホルダーの両頭針の他方の針先を輸液容器の口部を封止する栓体に刺通し、外筒２内と輸液容器の内部空間とを連通させる。
【０１０３】
［４Ｂ］  次いで、操作部７１を指で押圧しつつ、ストッパー５を押し子４上でスライドさせ、ストッパー５を押し子４の基端部（図示の構成では、目盛り４８の「５」より基端側）に移動させる。
【０１０４】
［５Ｂ］次いで、指当て部４０１に指を当てて押し子４を押圧し、ガスケット３の先端面３６が外筒２の底部２１に接触（または近接）するまで押し子４を先端方向に移動させ、外筒２内に残存する薬剤１００のほぼ全量を排出する。これにより、希望とする量（３mL）の薬剤１００を輸液容器内の輸液に配合することができる。
【０１０５】
なお、本実施形態では、液体の薬剤１００が予め収納されているシリンジ１について説明したが、本発明では、薬剤１００が固体状のものでもよい。この場合には、押し子４を基端方向に引いて縮径部２２の先端開口から液体を吸引して外筒２内に導入し、この液体に薬剤１００を溶解させて使用する。また、本発明は、シリンジ１のようなプレフィルドシリンジに限らず、薬剤等が封入されていない通常のシリンジに適用することもできる。
【０１０６】
また、本実施形態では、操作部７１は、指で押圧操作するものであったが、本発明では、操作部を指で牽引操作（引っ張る操作）や挟持操作（摘まむ操作）を行うことにより、ストッパー５の固定を解除するようなものであってもよい。
【０１０７】
また、シリンジ１は、前述したような両頭針付ホルダーを用いた使用方法に限らず、縮径部２２に例えば針管のハブ、コネクタ類、チューブ類等（図示せず）を嵌合、装着して使用してもよいことは言うまでもない。
【０１０８】
＜第２実施形態＞
図７は、本発明のシリンジの第２実施形態における押し子の本体部およびストッパーを示す斜視図である。
【０１０９】
以下、この図を参照して本発明のシリンジの第２実施形態について説明するが、前述した実施形態との相違点を中心に説明し、同様の事項はその説明を省略する。
【０１１０】
本実施形態の押し子４Ａは、前記第１実施形態のシリンジ１より大型（大容量）のシリンジに用いられるものである。すなわち、押し子４Ａは、前記第１実施形態の押し子４より大型になっている。
【０１１１】
押し子４Ａの本体部４０Ａは、板片を十文字状に交差させた形状になっている。この本体部４０Ａには、前記と同様のストッパー５が設置されている。ストッパー５の幅（最大幅）は、本体部４０Ａの幅（最大幅）より小さくなっている。
【０１１２】
本体部４０Ａを構成する４つの板片のうちの１つの板片４６Ａの両面からは、板片４４Ａ、４５Ａが突出形成されている。すなわち、板片４４Ａ、４５Ａは、板片４６Ａに対し、十文字状に交差している。この板片４４Ａ、４５Ａの縁部により、ストッパー５が摺動するレール部４４１、４５１が構成されている。
【０１１３】
板片４４Ａ、４５Ａより図７中の上側に位置する板片４６Ａの両面には、ラック４７ａ、４７ｂが設けられている。
【０１１４】
このように、本実施形態では、本体部４０Ａ（押し子４Ａ）の最大幅より最大幅が小さいストッパー５を設置して使用することができる。よって、例えば、前記第１実施形態と同様の大きさおよび構成のストッパー５を前記第１実施形態より大型の押し子４Ａに設置して使用することができる。したがって、本発明を大型のシリンジに適用する場合、小型のシリンジ用のストッパー５と共通のものを使用することができるため、大型のストッパーを新たに設計、製造する必要がなく、よって、製造コストの低減が図れる。また、大型のストッパーを設置する場合に比べて、シリンジの軽量化が図れ、よって、例えば操作性悪化等の、重量増による弊害を防止することができる。
【０１１５】
＜第３実施形態＞
図８および図９は、それぞれ、本発明のシリンジの第３実施形態における押し子の本体部およびストッパーを示す部分断面斜視図である。なお、説明の都合上、図８および図９中の上側を「上」、下側を「下」と言う。
【０１１６】
以下、これらの図を参照して本発明のシリンジの第３実施形態について説明するが、前述した実施形態との相違点を中心に説明し、同様の事項はその説明を省略する。
【０１１７】
本実施形態は、ストッパーを押し子に固定する固定手段の構成が異なること以外は前記第１実施形態と同様である。
【０１１８】
本実施形態では、押し子４の板片４４、４５の縁部に長手方向に延びる凸条がそれぞれ形成され、この凸条により、ラック４４２、４５２が構成されている。
【０１１９】
ラック４４２、４５２における板片４６と対向する面には、それぞれ、複数の係合凹部４４３、４５３が所定間隔で形成されている。図示の構成では、この係合凹部４４３、４５３は、ほぼＵ字状の溝で構成されている。
【０１２０】
ストッパー５Ａは、第１の部材６と、第２の部材７とで構成されている。
第１の部材６の基端壁６１５からは、ラック４４２、４５２に係合する係合部６７ａ、６７ｂがそれぞれ先端方向に腕状に延びるように形成されている。係合部６７ａは、ラック４４２と板片４６との間に位置しており、係合部６７ｂは、ラック４５２と板片４６との間に位置している。
【０１２１】
係合部６７ａ、６７ｂの先端部には、係合凹部４４３、４５３に挿入し得る突起６７１ａ、６７１ｂがそれぞれ外側に向かって突出形成されている。この突起６７１ａ、６７１ｂは、ほぼＵ字状（半円柱状）をなしている。
【０１２２】
第１の部材６の上壁６１３には、板バネ６５の両側にそれぞれ孔６８ａ、６８ｂが形成されている。
【０１２３】
第２の部材７の操作部７１の下面からは、押圧部７４ａ、７４ｂがそれぞれ腕状に突出形成されている。第２の部材７は、この押圧部７４ａ、７４ｂが孔６８ａ、６８ｂにそれぞれ挿入した状態で第１の部材６に設置されている。この装着状態で、押圧部７４ａ、７４ｂの先端側は、それぞれ、係合部６７ａ、６７ｂの内側に位置している。
【０１２４】
押圧部７４ａ、７４ｂの下端部には、凸部７４１ａ、７４１ｂがそれぞれ外側に突出形成されている。また、凸部７４１ａ、７４１ｂの上側は、それぞれ、傾斜したテーパ面７４２ａ、７４２ｂになっている。
【０１２５】
本実施形態では、ラック４４２、４５２、係合部６７ａ、６７ｂ、板バネ６５および押圧部７４ａ、７４ｂにより、ストッパー５Ａを押し子４に固定する固定手段が構成される。
【０１２６】
第２の部材７は、常時は、図８に示すように、板バネ６５の付勢力により、操作部７１が上壁６１３から浮いた（離間した）状態になっている。そして、操作部７１を指で押圧すると、図９に示すように、第２の部材７は、板バネ６５の付勢力に抗して下方向に変位し、操作部７１の下面が上壁６１３に接触する。
【０１２７】
このような操作部７１での操作に連動して、押圧部７４ａ、７４ｂは、図８に示す第１の位置と、この第１の位置から下方向に移動した図９に示す第２の位置とに変位する。
【０１２８】
図８に示すように、押圧部７４ａ、７４ｂが前記第１の位置にあるとき、すなわち操作部７１を押圧操作していない状態では、凸部７４１ａ、７４１ｂは、係合部６７ａ、６７ｂと同じ位置（高さ）にあって、これらを外側に押圧している。これにより、係合部６７ａ、６７ｂは、それぞれ、外側に変位し、突起６７１ａ、６７１ｂがそれぞれラック４４２、４５２の係合凹部４４３、４５３に挿入している。このように、図８に示す状態では、係合部６７ａ、６７ｂとラック４４２、４５２とが係合することにより、ストッパー５Ａは、押し子４に固定されている。
【０１２９】
図９に示すように、押圧部７４ａ、７４ｂが前記第２の位置にあるとき、すなわち操作部７１を押圧操作した状態では、凸部７４１ａ、７４１ｂは、係合部６７ａ、６７ｂより下側に位置し、よって、係合部６７ａ、６７ｂに対する押圧が解除される。これにより、係合部６７ａ、６７ｂは、自己の弾性により、内側に変位して、突起６７１ａ、６７１ｂがラック４４２、４５２の係合凹部４４３、４５３から退避する。このように、図９に示す状態では、ストッパー５Ａに対する固定が解除され、ストッパー５Ａは、押し子４に対しスライド（移動）することができる。
【０１３０】
図９に示す状態から操作部７１に対する押圧操作を解除すると、板バネ６５の付勢力により、第２の部材７が上方向に変位して、押圧部７４ａ、７４ｂが前記第１の位置に復帰し、図８に示す固定状態に戻る。このとき、係合部６７ａ、６７ｂは、テーパ面７４２ａ、７４２ｂ上を摺動しつつ凸部７４１ａ、７４１ｂに押圧されることにより、円滑に図８に示す状態に復帰することができる。
【０１３１】
このように、本実施形態では、前記第１実施形態と同様に、操作部７１を指で押圧操作することにより、ストッパー５Ａを押し子４上でスライドさせることができ、容易にその位置を調整することができる。
【０１３２】
＜第４実施形態＞
図１０および図１１は、それぞれ、本発明のシリンジの第４実施形態における押し子およびストッパーを示す部分断面斜視図である。なお、説明の都合上、図１０および図１１中の上側を「上」、下側を「下」と言う。
【０１３３】
以下、これらの図を参照して本発明のシリンジの第４実施形態について説明するが、前述した実施形態との相違点を中心に説明し、同様の事項はその説明を省略する。
【０１３４】
本実施形態は、ストッパーを押し子に固定する固定手段の構成が異なること以外は前記第１実施形態と同様である。
【０１３５】
本実施形態では、押し子４の板片４６の縁部に、複数の係合凹部４６２が長手方向に沿って所定間隔で形成されており、これにより、ラック４６１が構成されている。この係合凹部４６２は、ほぼＶ字状の切欠き（溝）で構成されており、ラック４６１は、鋸歯状をなしている。
【０１３６】
ストッパー５Ｂは、第１の部材６と、第２の部材８と、第３の部材９とで構成されている。図８および図９中では、第１の部材６および第２の部材８は、シリンジ１の長手方向中央で切断した状態で示されている。
【０１３７】
ストッパー５Ｂの内部構造は、先端側と基端側とが対称になっている。すなわち、図８および図９では、第１の部材６および第２の部材８は、先端側のみが図示されているが、基端側は、先端側と対称に形成されている。
【０１３８】
第２の部材８は、板状（棒状）の本体部８１を有し、この本体部８１が第１の部材６のケーシング６１内に側方から挿入した状態で設置されている。本体部８１の端部には、押しボタンとして機能する操作部８２が設置されている。すなわち、操作部８２は、ストッパー５Ｂの側方に設けられている。
【０１３９】
本体部８１には、先端側と基端側とにそれぞれ突出する一対の板バネ８４、８４が設置されている。この板バネ８４は、本体部８１と一体的に形成されている。板バネ８４の先端部は、ケーシング６１の内壁に当接している。
【０１４０】
また、本体部８１には、ラック４６１に係合し得る係合部（突起）８３が下方に向かって突出形成されている。係合部８３は、係合凹部４６２に対応するクサビ状（Ｖ字状）をなしている。
【０１４１】
第３の部材９は、第１の部材６に対する蓋体となるものであり、ほぼ板状の蓋部９１と、蓋部９１の下面から突出形成された複数（図示の構成では４つ）の爪部９２とを有している。第１の部材６（ケーシング６１）には、各爪部９２に対応する位置にそれぞれ孔６１６が形成されており、この孔６１６に爪部９２が挿入、嵌合することにより、第３の部材９が第１の部材６に装着される。第３の部材９が装着されることにより、第２の部材８が第１の部材６から離脱するのが防止される。
【０１４２】
本実施形態では、ラック４６１、係合部８３および板バネ８４により、ストッパー５Ｂを押し子４に固定する固定手段が構成される。
【０１４３】
図１０に示すように、操作部８２が押圧されていないときは、本体部８１の同図中の左側は、板バネ８４の付勢力により、ケーシング６１から突出した状態になっている。この状態では、係合部８３は、ラック４６１の係合凹部４６２に挿入した位置にあり、これにより、ストッパー５Ｂは、押し子４に固定されている。
【０１４４】
この状態から操作部８２が押圧されると、図１１に示すように、板バネ８４が撓み、本体部８１は、ケーシング６１内に没入するように移動する。この本体部８１の移動により、係合部８３は、ラック４６１の側方に退避する。これにより、図１１に示す状態では、ストッパー５Ｂに対する固定が解除され、ストッパー５Ｂは、押し子４に対しスライド（移動）することができる。
【０１４５】
図１１に示す状態から操作部８２に対する押圧操作を解除すると、板バネ８４の付勢力により、第２の部材８（本体部８１）が変位して、図１０に示す固定状態に戻る。
【０１４６】
このように、本実施形態では、前記第１実施形態と同様に、操作部８２を指で押圧操作することにより、ストッパー５Ｂを押し子４上でスライドさせることができ、容易にその位置を調整することができる。この際、本実施形態では、操作部８２がストッパー５Ｂの側方に設けられていることから、ストッパー５Ｂを２本の指で両側から挟持することによって、操作部８２を押圧することができる。これにより、ストッパー５Ｂを２本の指で挟持した（つまんだ）状態でスライドさせ、押し子４上での位置を調整することができ、この操作をより容易に行うことができる。
【０１４７】
以上、本発明のシリンジを図示の実施形態について説明したが、本発明は、これに限定されるものではなく、シリンジを構成する各部は、同様の機能を発揮し得る任意の構成のものと置換することができる。
【０１４８】
【発明の効果】
以上述べたように、本発明によれば、簡単な操作で、正確な量の液体を排出することができ、排出量が過多・過少となるミスを確実に防止することができる。
【０１４９】
また、操作部を押圧操作、牽引操作または挟持操作するだけの簡単な操作で、ストッパーの固定を解除して、押し子上での位置を調整することができ、よって、液体排出量の設定操作を極めて容易かつ迅速に行うことができる。
【０１５０】
また、操作部に対する操作を解除すると、自動的にストッパーの固定状態に戻ることから、一旦設定したストッパーの位置がずれて、設定した排出量が狂うようなこともない。
【０１５１】
また、液体の排出操作においては、ストッパーが外筒に当接するまで押し子を先端方向に移動させるだけの簡単な操作で前記効果を達成することができ、押し子の操作に微妙な力加減を必要とせず、操作性に優れる。
【図面の簡単な説明】
【図１】本発明のシリンジの第１実施形態を示す部分縦断面図である。
【図２】図１に示すシリンジにおけるストッパーの斜視図（分解状態）である。
【図３】図２中のＸ−Ｘ線断面図である。
【図４】図２中のＹ−Ｙ線断面図である。
【図５】図１に示すシリンジにおける押し子の本体部およびストッパーを示す部分断面斜視図（固定状態）である。
【図６】図１に示すシリンジにおける押し子の本体部およびストッパーを示す部分断面斜視図（固定解除状態）である。
【図７】本発明のシリンジの第２実施形態における押し子の本体部およびストッパーを示す斜視図である。
【図８】本発明のシリンジの第３実施形態における押し子の本体部およびストッパーを示す部分断面斜視図（固定状態）である。
【図９】本発明のシリンジの第３実施形態における押し子の本体部およびストッパーを示す部分断面斜視図（固定解除状態）である。
【図１０】本発明のシリンジの第４実施形態における押し子およびストッパーを示す部分断面斜視図（固定状態）である。
【図１１】本発明のシリンジの第４実施形態における押し子およびストッパーを示す部分断面斜視図（固定解除状態）である。
【符号の説明】
１            シリンジ
２            外筒
２１          底部
２２          縮径部
２３          内腔
２４          膜
２５          フランジ
２６          内周面
２７          目盛り
２８          基端部
２９          キャップ
２９１        開口
３            ガスケット
３１、３２、３３  凸部
３４          中空部
３４１        雌ネジ
３６          先端面
４            押し子
４０、４０Ａ  本体部
４０１        指当て部
４１          第１のフランジ
４２          第２のフランジ
４３          ヘッド部
４３１        雄ネジ
４４、４４Ａ、４５、４５Ａ、４６、４６Ａ  板片
４４１、４５１  レール部
４４２、４５２、４６１  ラック
４４３、４５３、４６２  係合凹部
４７ａ、４７ｂ  ラック
４８          目盛り
５、５Ａ、５Ｂ  ストッパー
６            第１の部材
６１          ケーシング
６１１、６１２  溝
６１３        上壁
６１４        先端壁
６１５        基端壁
６１６        孔
６２ａ、６２ｂ  摺動部
６２１ａ、６２１ｂ  テーパ面
６３ａ、６３ｂ  係合部
６３１ａ、６３１ｂ  突起
６３２ａ、６３２ｂ  凸部
６４ａ、６４ｂ  孔
６４１ａ、６４１ｂ  爪
６５          板バネ
６５１        凸部
６６          先端面
６７ａ、６７ｂ  係合部
６７１ａ、６７１ｂ  突起
６８ａ、６８ｂ  孔
７            第２の部材
７１          操作部
７２ａ、７２ｂ  押圧部
７２１ａ、７２１ｂ  凸部
７２２ａ、７２２ｂ  テーパ面
７２３ａ、７２３ｂ  爪
７３          凸条
７４ａ、７４ｂ  押圧部
７４１ａ、７４１ｂ  凸部
７４２ａ、７４２ｂ  テーパ面
８            第２の部材
８１          本体部
８２          操作部
８３          係合部
８４          板バネ
９            第３の部材
９１          蓋部
９２          爪部
１００        薬剤
【図１】
0004191409.tif 000002
【図２】
0004191409.tif 000003
【図３】
0004191409.tif 000004
【図４】
0004191409.tif 000005
【図５】
0004191409.tif 000006
【図６】
0004191409.tif 000007
【図７】
0004191409.tif 000008
【図８】
0004191409.tif 000009
【図９】
0004191409.tif 000010
【図１０】
0004191409.tif 000011
【図１１】
0004191409.tif 000012